(57)【特許請求の範囲】
【請求項１】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記第１点検処理とは別の処理であって、前記ガス検査機の前記センサ部に通じる点検口に前記点検用ガスを供給して、当該ガス検査機の作動状態を点検する第２点検処理とを実行するガス検査機点検方法。
【請求項２】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記第１点検処理とは別のタイミングで実施される処理であって、前記ガス検査機の前記センサ部に通じる点検口に前記点検用ガスを供給して、当該ガス検査機の作動状態を点検する第２点検処理とを実行するガス検査機点検方法。
【請求項３】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機が、吸引路を通じて前記空気捕集部で捕集した検査対象空気を吸引する吸引ポンプを有すると共に、前記ガス検査機の点検口が、前記吸引路から分岐する分岐路に接続され、
前記第２点検処理において、前記点検口への前記点検用ガスの供給量を、前記吸引ポンプの吸引量よりも大きく設定するガス検査機点検方法。
【請求項４】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機が、前記空気捕集部を地表面に沿わせた検査姿勢で当該地表面に沿って移動操作される移動式ガス検査機であり、
前記第１点検処理において、前記点検用ガスを、前記検査姿勢とした前記ガス検査機の空気捕集部又はその近傍に放出する形態で当該空気捕集部に供給するガス検査機点検方法。
【請求項５】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機の空気捕集部に前記点検用ガスを供給可能な第１点検用ガス供給部と、前記ガス検査機の点検口に前記点検用ガスを供給可能な第２点検用ガス供給部と、共通の点検用ガス供給源からの前記点検用ガスの供給先を前記第１点検用ガス供給部と前記第２点検用ガス供給部との間で択一的に切替可能な切替手段を設け、
前記第１点検処理と前記第２点検処理の一方の点検処理を実行した後に、前記切替手段により前記点検用ガスの供給先を切り替えて、他方の点検処理を実行するガス検査機点検方法。
【請求項６】
前記ガス検査機を収容可能なガス検査機収容部を設けると共に、当該ガス検査機収容部に、前記ガス検査機の収容に伴って当該ガス検査機との間で通信可能となる通信手段を設け、
前記通信手段により前記ガス検査機との間の通信が可能となった状態を点検可能状態と判定する点検可能状態判定処理を実行し、当該点検可能状態判定処理で前記点検可能状態を判定した場合に、前記第１点検処理及び前記第２点検処理を実行する請求項５に記載のガス検査機点検方法。
【請求項７】
前記第１点検処理及び前記第２点検処理において、前記通信手段により前記ガス検査機との間で通信を行って、当該ガス検査機の作動状態を取得する請求項６に記載のガス検査機点検方法。
【請求項８】
検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検する点検処理を実行する点検処理手段を備えたガス検査機点検システムであって、
前記ガス検査機を収容可能なガス検査機収容部を備えると共に、当該ガス検査機収容部が、収容された前記ガス検査機の空気捕集部に前記点検用ガスを供給可能な第１点検用ガス供給部と、収容された前記ガス検査機の前記センサ部に通じる点検口に前記点検用ガスを供給可能な第２点検用ガス供給部を備え、
前記点検処理手段が、
当該ガス検査機収容部に収容された前記ガス検査機に対して前記点検処理を実行すると共に、
当該点検処理として、
前記ガス検査機の空気捕集部に前記第１点検用ガス供給部を介して前記点検用ガスを供給して、当該ガス検査機の作動状態を点検する第１点検処理と、
前記ガス検査機の点検口に前記第２点検用ガス供給部を介して前記点検用ガスを供給して、当該ガス検査機の作動状態を点検する第２点検処理とを実行するように構成されているガス検査機点検システム。
【発明の詳細な説明】
【技術分野】
【０００１】
本発明は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法、及びそのガス検査機点検方法を実行するガス検査機点検システムに関する。
【背景技術】
【０００２】
この種のガス検査機として、従来、空気捕集部を地表面に沿わせた検査姿勢で当該地表面に沿って移動操作されて、地中に埋設されたガス導管からのガス漏洩等を検査する移動式ガス検査機が知られている（例えば、特許文献１を参照。）。
かかるガス検査機は、具体的に、空気捕集部で捕集した地表面側の検査対象空気を可燃性ガスなどの特定成分に感応するセンサ部に導入し、当該センサ部の出力に応じて制御部が検査対象空気中の特定成分の濃度を演算して検査結果として表示部等に出力する。更に、検査対象空気中の特定成分の濃度が許容範囲を超えている場合には、異常状態であるとして警報音出力部が警報音を出力する。
【先行技術文献】
【特許文献】
【０００３】
【特許文献１】実開昭６３−１５２５４６号公報
【発明の概要】
【発明が解決しようとする課題】
【０００４】
ところで、このようなガス検査機は、実際の検査に先立って作動状態を点検する必要がある。そして、従来の点検方法では、既知の濃度で特定成分を含む点検用ガスが、他の空気等が混入することが無いように強制的にセンサ部に供給され、その際に出力される検査結果によりセンサ部の検出精度が点検される。そして、そのセンサ部の検出精度に問題があれば、センサ部の感度調整などの校正が行われる。
しかしながら、このようなガス検査機点検方法では、ガス検査機の作動状態としてセンサ部の検出精度を点検することはできるものの、点検用ガスが実際の検査時とは異なって強制的にセンサ部に供給されるので、空気捕集部による検査対象空気の捕集性能等のような実際の検査時において重要なそのセンサ部の検出精度以外の基本性能に問題がないかを点検することができない場合があった。
【０００５】
この実情に鑑み、本発明の主たる課題は、ガス検査機の作動状態を点検するにあたり、センサ部の検出精度を点検することができると共に、実際の検査時において重要なセンサ部の検出精度以外の基本性能も正確に点検することができる技術を提供する点にある。
【課題を解決するための手段】
【０００６】
本発明の第１特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記第１点検処理とは別の処理であって、前記ガス検査機の前記センサ部に通じる点検口に前記点検用ガスを供給して、当該ガス検査機の作動状態を点検する第２点検処理とを実行する点にある。
本発明の第２特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記第１点検処理とは別のタイミングで実施される処理であって、前記ガス検査機の前記センサ部に通じる点検口に前記点検用ガスを供給して、当該ガス検査機の作動状態を点検する第２点検処理とを実行する点にある。
【０００７】
本構成によれば、上記第１点検処理を実行して、実際の検査時の検査対象空気と同様に、ガス検査機の空気捕集部を介してセンサ部に点検用ガスを供給する。すると、実際の検査時における空気捕集部による検査対象空気の捕集性能やセンサ部の検出性能などのガス検査機の基本性能が正常な状態である場合には、センサ部に点検用ガスが供給されたことを示すような検査結果がガス検査機の作動状態として出力されることになる。このような第１点検処理の実行時におけるガス検査機の作動状態を確認することにより、ガス検査機の基本性能が正常な状態であるか否かを正確に把握することができ、その結果に応じて適切なメンテナンスを実行することができる。
【０００８】
更に、このような第１点検処理では、点検用ガスに空気捕集部の周辺空気が混入する可能性があるため、センサ部の検出精度を正確に点検することは困難である。そこで、ガス検査機にセンサ部に通じる点検口を設けると共に、上記第２点検処理を実行して、ガス検査機の点検口に点検用ガスを供給する。すると、周辺空気の混入が抑制された状態で、点検用ガスがセンサ部に供給され、点検用ガスの特定成分濃度に応じた検査結果がガス検査機の作動状態として出力されることになる。この検査結果を、点検用ガス中の既知の特定成分濃度と比較することにより、センサ部の検出精度を正確に把握することができ、その結果に応じて適切なセンサ部の校正を実行することができる。
【０００９】
更に、このような第２点検処理に加えて、上記第１点検処理が実行されるので、実際の検査時において重要なセンサ部の検出精度以外の基本性能も正確に点検することができる。
即ち、第２点検処理において、センサ部の検出精度が正常であるとの点検結果が出力されたのにも拘らず、第１点検処理において、ガス検査機の基本性能に異常があるとの点検結果が出力された場合には、空気捕集部による検査対象空気の捕集性能等に異常が生じていると判断できる。
【００１０】
従って、本発明により、ガス検査機の作動状態を点検するにあたり、センサ部の検出精度を点検することができる上に、実際の検査時において重要なセンサ部の検出精度以外の基本性能も正確に点検することができる技術を提供することができる。
【００１１】
本発明の別の特徴構成は、前記第１点検処理において、前記点検用ガスを、前記ガス検査機の空気捕集部又はその近傍に放出する形態で当該空気捕集部に供給し、
前記第２点検処理において、前記点検用ガスを、前記点検口に注入する形態で当該点検口に供給する点にある。
【００１２】
本構成によれば、第１点検処理において、ガス検査機の空気捕集部又はその近傍に放出する形態で点検用ガスを空気捕集部へ供給するので、この点検用ガスは実際の検査時の検査対象空気に極めて近い状態で空気捕集部に捕集されて、センサ部に供給されることになる。従って、実際の検査時における空気捕集性能等を一層正確に点検することができる。
一方、第２点検処理において、点検口に注入する形態で点検用ガスを当該点検口に供給するので、この点検用ガスは周辺空気を殆ど巻き込むことなく略そのままの状態でセンサ部に供給されることになる。従って、センサ部の検出精度を一層正確に点検することができる。
【００１３】
本発明の第３特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機が、吸引路を通じて前記空気捕集部で捕集した検査対象空気を吸引する吸引ポンプを有すると共に、前記ガス検査機の点検口が、前記吸引路から分岐する分岐路に接続され、
前記第２点検処理において、前記点検口への前記点検用ガスの供給量を、前記吸引ポンプの吸引量よりも大きく設定する点にある。
【００１４】
上記第１点検処理を実行して、実際の検査時の検査対象空気と同様に、ガス検査機の空気捕集部を介してセンサ部に点検用ガスを供給する。すると、実際の検査時における空気捕集部による検査対象空気の捕集性能やセンサ部の検出性能などのガス検査機の基本性能が正常な状態である場合には、センサ部に点検用ガスが供給されたことを示すような検査結果がガス検査機の作動状態として出力されることになる。このような第１点検処理の実行時におけるガス検査機の作動状態を確認することにより、ガス検査機の基本性能が正常な状態であるか否かを正確に把握することができ、その結果に応じて適切なメンテナンスを実行することができる。
更に、このような第１点検処理では、点検用ガスに空気捕集部の周辺空気が混入する可能性があるため、センサ部の検出精度を正確に点検することは困難である。そこで、ガス検査機にセンサ部に通じる点検口を設けると共に、上記第２点検処理を実行して、ガス検査機の点検口に点検用ガスを供給する。すると、周辺空気の混入が抑制された状態で、点検用ガスがセンサ部に供給され、点検用ガスの特定成分濃度に応じた検査結果がガス検査機の作動状態として出力されることになる。この検査結果を、点検用ガス中の既知の特定成分濃度と比較することにより、センサ部の検出精度を正確に把握することができ、その結果に応じて適切なセンサ部の校正を実行することができる。
更に、このような第２点検処理に加えて、上記第１点検処理が実行されるので、実際の検査時において重要なセンサ部の検出精度以外の基本性能も正確に点検することができる。
即ち、第２点検処理において、センサ部の検出精度が正常であるとの点検結果が出力されたのにも拘らず、第１点検処理において、ガス検査機の基本性能に異常があるとの点検結果が出力された場合には、空気捕集部による検査対象空気の捕集性能等に異常が生じていると判断できる。
従って、本発明により、ガス検査機の作動状態を点検するにあたり、センサ部の検出精度を点検することができる上に、実際の検査時において重要なセンサ部の検出精度以外の基本性能も正確に点検することができる技術を提供することができる。
更に、本構成によれば、第１点検処理では、空気捕集部に供給された点検用ガスが、通常の検査時と同様に、吸引ポンプの吸引力により吸引路を通じてセンサ部に供給され、一方、第２点検処理では、点検口に供給された点検用ガスが、吸引ポンプの吸引力により分岐路及び吸引路を通じてセンサ部に供給される。
この第２点検処理において、点検口への点検用ガスの供給量が、吸引ポンプの吸引量よりも大きく設定されているので、分岐路から吸引路に流入した点検用ガスの一部が、吸引ポンプにより吸引されてセンサ部に供給されるものの、残部が吸引路を空気捕集部側に向けて逆流することになる。従って、この第２点検処理の吸引路では、逆流する点検用ガスが存在することになるため、空気捕集部からセンサ部へ流入する空気が実質的に遮断されることになり、結果、センサ部には空気の混入のない純粋な点検用ガスが供給されることになり、センサ部の検出精度を一層正確に点検することができる。
【００１５】
本発明の第４特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機が、前記空気捕集部を地表面に沿わせた検査姿勢で当該地表面に沿って移動操作される移動式ガス検査機であり、
前記第１点検処理において、前記点検用ガスを、前記検査姿勢とした前記ガス検査機の空気捕集部又はその近傍に放出する形態で当該空気捕集部に供給する点にある。
【００１６】
上記第１点検処理を実行して、実際の検査時の検査対象空気と同様に、ガス検査機の空気捕集部を介してセンサ部に点検用ガスを供給する。すると、実際の検査時における空気捕集部による検査対象空気の捕集性能やセンサ部の検出性能などのガス検査機の基本性能が正常な状態である場合には、センサ部に点検用ガスが供給されたことを示すような検査結果がガス検査機の作動状態として出力されることになる。このような第１点検処理の実行時におけるガス検査機の作動状態を確認することにより、ガス検査機の基本性能が正常な状態であるか否かを正確に把握することができ、その結果に応じて適切なメンテナンスを実行することができる。
更に、このような第１点検処理では、点検用ガスに空気捕集部の周辺空気が混入する可能性があるため、センサ部の検出精度を正確に点検することは困難である。そこで、ガス検査機にセンサ部に通じる点検口を設けると共に、上記第２点検処理を実行して、ガス検査機の点検口に点検用ガスを供給する。すると、周辺空気の混入が抑制された状態で、点検用ガスがセンサ部に供給され、点検用ガスの特定成分濃度に応じた検査結果がガス検査機の作動状態として出力されることになる。この検査結果を、点検用ガス中の既知の特定成分濃度と比較することにより、センサ部の検出精度を正確に把握することができ、その結果に応じて適切なセンサ部の校正を実行することができる。
更に、このような第２点検処理に加えて、上記第１点検処理が実行されるので、実際の検査時において重要なセンサ部の検出精度以外の基本性能も正確に点検することができる。
即ち、第２点検処理において、センサ部の検出精度が正常であるとの点検結果が出力されたのにも拘らず、第１点検処理において、ガス検査機の基本性能に異常があるとの点検結果が出力された場合には、空気捕集部による検査対象空気の捕集性能等に異常が生じていると判断できる。
従って、本発明により、ガス検査機の作動状態を点検するにあたり、センサ部の検出精度を点検することができる上に、実際の検査時において重要なセンサ部の検出精度以外の基本性能も正確に点検することができる技術を提供することができる。
更に、本構成によれば、ガス検査機が上記移動式ガス検査機である場合には、実際の検査時において検査姿勢としたガス検査機の空気捕集部又はその近傍に特定成分を含むガスが放出される状態を再現する形で、第１点検処理において点検用ガスを空気捕集部に供給することができる。従って、実際の検査時の状況にあった空気捕集性能等の点検が可能となる。
【００１７】
本発明の第５特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検するガス検査機点検方法であって、
前記ガス検査機の空気捕集部に前記点検用ガスを供給して、当該ガス検査機の作動状態を点検する第１点検処理と、
前記ガス検査機の前記センサ部に通じる点検口に前記点検用ガスを供給して、当該ガス検査機の作動状態を点検する第２点検処理とを実行し、
前記ガス検査機の空気捕集部に前記点検用ガスを供給可能な第１点検用ガス供給部と、前記ガス検査機の点検口に前記点検用ガスを供給可能な第２点検用ガス供給部と、共通の点検用ガス供給源からの前記点検用ガスの供給先を前記第１点検用ガス供給部と前記第２点検用ガス供給部との間で択一的に切替可能な切替手段を設け、
前記第１点検処理と前記第２点検処理の一方の点検処理を実行した後に、前記切替手段により前記点検用ガスの供給先を切り替えて、他方の点検処理を実行する点にある。
【００１８】
上記第１点検処理を実行して、実際の検査時の検査対象空気と同様に、ガス検査機の空気捕集部を介してセンサ部に点検用ガスを供給する。すると、実際の検査時における空気捕集部による検査対象空気の捕集性能やセンサ部の検出性能などのガス検査機の基本性能が正常な状態である場合には、センサ部に点検用ガスが供給されたことを示すような検査結果がガス検査機の作動状態として出力されることになる。このような第１点検処理の実行時におけるガス検査機の作動状態を確認することにより、ガス検査機の基本性能が正常な状態であるか否かを正確に把握することができ、その結果に応じて適切なメンテナンスを実行することができる。
更に、このような第１点検処理では、点検用ガスに空気捕集部の周辺空気が混入する可能性があるため、センサ部の検出精度を正確に点検することは困難である。そこで、ガス検査機にセンサ部に通じる点検口を設けると共に、上記第２点検処理を実行して、ガス検査機の点検口に点検用ガスを供給する。すると、周辺空気の混入が抑制された状態で、点検用ガスがセンサ部に供給され、点検用ガスの特定成分濃度に応じた検査結果がガス検査機の作動状態として出力されることになる。この検査結果を、点検用ガス中の既知の特定成分濃度と比較することにより、センサ部の検出精度を正確に把握することができ、その結果に応じて適切なセンサ部の校正を実行することができる。
更に、このような第２点検処理に加えて、上記第１点検処理が実行されるので、実際の検査時において重要なセンサ部の検出精度以外の基本性能も正確に点検することができる。
即ち、第２点検処理において、センサ部の検出精度が正常であるとの点検結果が出力されたのにも拘らず、第１点検処理において、ガス検査機の基本性能に異常があるとの点検結果が出力された場合には、空気捕集部による検査対象空気の捕集性能等に異常が生じていると判断できる。
従って、本発明により、ガス検査機の作動状態を点検するにあたり、センサ部の検出精度を点検することができる上に、実際の検査時において重要なセンサ部の検出精度以外の基本性能も正確に点検することができる技術を提供することができる。
更に、本構成によれば、上記切替手段を設けることにより、ガス検査機における空気捕集部側の第１点検用ガス供給口と点検口側の第２点検用ガス供給部との夫々の点検用ガスの供給先に対して、共通の点検用ガス供給源からの点検用ガスを択一的に切り替えて供給することができる。そこで、第１点検処理と第２点検処理の夫々を順に実行するにあたり、第１点検用ガス供給部と第２点検用ガス供給部とのうちの一方の供給先に対して点検用ガスを供給する状態で、第１点検処理と第２点検処理とのうちの一方の点検処理を実行した後に、上記切替手段により点検用ガスの供給先を切り替えて、他方の供給先に対して点検用ガスを供給する状態で、他方の点検処理を実行することができ、点検用ガス供給源の共通化を図りながら、点検処理の切り替えを簡単に行うことができる。
【００１９】
本発明の第６特徴構成は、前記ガス検査機を収容可能なガス検査機収容部を設けると共に、当該ガス検査機収容部に、前記ガス検査機の収容に伴って当該ガス検査機との間で通信可能となる通信手段を設け、
前記通信手段により前記ガス検査機との間の通信が可能となった状態を点検可能状態と判定する点検可能状態判定処理を実行し、当該点検可能状態判定処理で前記点検可能状態を判定した場合に、前記第１点検処理及び前記第２点検処理を実行する点にある。
【００２０】
本構成によれば、上記通信手段は、ガス検査機がガス検査機収容部に収容されて始めて、当該収容されたガス検査機との間で通信可能となる。よって、この通信手段によりガス検査機との間で通信が可能となった状態は、ガス検査機がガス検査機収容部に収容された状態を示すものとなる。そこで、上記点検可能状態判定処理を実行することにより、ガス検査機がガス検査機収容部に収容されて点検処理が実行可能な点検可能状態とした場合において、その状態を上記通信手段によるガス検査機との間の通信が可能となった状態として自動的に判定して第１点検処理及び第２点検処理の実行を開始することができる。
【００２１】
本発明の第７特徴構成は、前記第１点検処理及び前記第２点検処理において、前記通信手段により前記ガス検査機との間で通信を行って、当該ガス検査機の作動状態を取得する点にある。
【００２２】
本構成によれば、ガス検査機をガス検査機収容部に収容した状態で第１点検処理及び第２点検処理を実行するにあたり、作業者がガス検査機を確認することなく、上記通信手段により自動的にガス検査機の作動状態を取得することができる。
【００２３】
本発明の第８特徴構成は、検査対象空気を捕集する空気捕集部と、当該空気捕集部で捕集した検査対象空気中の特定成分に感応するセンサ部と、当該センサ部の出力に応じて検査結果を出力する制御部と、を有するガス検査機に対し、前記特定成分を含む点検用ガスを供給して作動状態を点検する点検処理を実行する点検処理手段を備えたガス検査機点検システムであって、
前記ガス検査機を収容可能なガス検査機収容部を備えると共に、当該ガス検査機収容部が、収容された前記ガス検査機の空気捕集部に前記点検用ガスを供給可能な第１点検用ガス供給部と、収容された前記ガス検査機の前記センサ部に通じる点検口に前記点検用ガスを供給可能な第２点検用ガス供給部を備え、
前記点検処理手段が、
当該ガス検査機収容部に収容された前記ガス検査機に対して前記点検処理を実行すると共に、
当該点検処理として、
前記ガス検査機の空気捕集部に前記第１点検用ガス供給部を介して前記点検用ガスを供給して、当該ガス検査機の作動状態を点検する第１点検処理と、
前記ガス検査機の点検口に前記第２点検用ガス供給部を介して前記点検用ガスを供給して、当該ガス検査機の作動状態を点検する第２点検処理とを実行するように構成されている点にある。
【００２４】
本構成によれば、上記ガス検査機収容部を備え、当該ガス検査機収容部に収容されたガス検査機に対して、第１点検用ガス供給部から空気捕集部に点検用ガスを供給可能とすると共に、第２点検用ガス供給部から点検口に点検用ガスを供給可能とした上で、第１点検処理及び第２点検処理を実行する点検処理手段を備える。このことで、本発明に係るガス検査機点検方法を実行するシステムを構築することができ、当該ガス検査機点検方法を実行することで、本発明に係るガス検査機点検方法と同様の作用効果を奏することができ、ガス検査機の作動状態の点検するにあたって、センサ部の検出精度を点検することができる上に、実際の検査時において重要なセンサ部の検出精度以外の基本性能も正確に点検することができる。
【図面の簡単な説明】
【００２５】
【図１】ガス検査機の検査時の状態を示す斜視図
【図２】図１に示すガス検査機の部分斜視図
【図３】図２に示すガス検査機の収納時の状態を示す斜視図
【図４】ガス検査機収容部及びそれに収容される前のガス検査機の状態を示す斜視図
【図５】ガス検査機収容部及びそれに収容されたガス検査機の状態を示す平面図
【図６】ガス検査機点検システムの構成、及び、（ａ）第１点検処理実行時の点検用ガス供給状態並びに（ｂ）第１点検処理実行時の点検用ガス供給状態を示すブロック図
【発明を実施するための形態】
【００２６】
本発明の実施形態について図面に基づいて説明する。
まず、ガス検査機点検システム１００が実行するガス検査機点検方法の点検対象であるガス検査機１の構成について説明する。
【００２７】
〔ガス検査機〕
本実施形態のガス検査機１は、図１〜図３に示すように、地表面ｇ側の検査対象空気を導入して検査する検査部Ａと、検査部Ａでの検査結果に応じて警報音を発生する警報音発生部Ｂとを備えた検査機本体Ｃと、検査機本体Ｃの作動を制御する制御部２１と、検査機本体Ｃを地表面に沿って移動操作する操作ハンドル６とを備える。そして、このガス検査機１は、検査部Ａの空気捕集部５３を地表面ｇに沿わせた検査姿勢で当該地表面ｇに沿って移動操作される移動式ガス検査機として構成されている共に、地表面ｇ下方の地中に埋設されたガス導管（図示省略）等からのガス漏洩を検査するガス漏洩検査機として構成されている。
【００２８】
検査機本体Ｃは、前後夫々に走行用車輪４２，４３を有する走行フレーム４と、上記制御部２１やその他各種補機等を内蔵する本体ボックス２とで構成されている。また、上記操作ハンドル６は、走行フレーム４の前方側に設けられたヒンジ構造３２（図１参照）により、当該走行フレーム４に対して所定の揺動範囲内で揺動自在に接続されており、走行フレーム４側（地表面ｇ側）の収納位置（図３参照）と、その収納位置よりも上方側の移動操作位置（図２参照）との間で位置変更可能となっている。
更に、検査機本体Ｃの本体ボックス２は、この操作ハンドル６の下方側に固定されていることから、当該本体ボックス２についても、操作ハンドル６と共に走行フレーム４に対して揺動自在となる。
【００２９】
更に、操作ハンドル６は、先端側（走行フレーム４との接続部とは反対側）に設けられた把持部６ａを本体ボックス２に対して近接（図３参照）又は離間（図１参照）させる形態で伸縮可能な構造を有している。
【００３０】
図１及び図６に示すように、走行フレーム４の下面側には、検査機本体Ｃの底面側で外部開放される空気捕集部５３を形成するためのゴム製シート材で構成されたシール部材５が設けられている。このシール部材５は、中央部を下方側に撓ました状態で前方端部及び後方端部が走行フレーム４の前方及び後方に固定されている。更に、このシール部材５の中央部下面側には、上方側に凹む凹部５２が形成されており、この凹部５２の内部空間が空気捕集部５３として形成されている。そして、検査機本体Ｃの姿勢を地表面ｇに走行用車輪４２，４３を接地させた検査姿勢とした状態では、シール部材５の空気捕集部５３の周囲部５１が地表面ｇに接することで、空気捕集部５３の開放部が地表面ｇにより覆われた状態となり、空気捕集部５３が外気に対して略密閉状態となる。
【００３１】
更に、シール部材５の凹部５２には、空気捕集部５３に臨む導入口５４が形成されており、この導入口５４と後述するガスセンサ２２（センサ部の一例）とが、吸引路２７により接続されている。また、この吸引路２７には、吸引路２７を通じて空気捕集部５３で捕集した検査対象空気を吸引してガスセンサ２２に導入する吸引ポンプ２３が設けられている。
このような構成により、検査機本体Ｃを空気捕集部５３の周囲部５１が地表面ｇに接する検査姿勢とし、その検査姿勢の検査機本体Ｃを地表面ｇに沿って移動させると、空気捕集部５３内に存在する地表面ｇ側の空気が検査対象空気として吸引され、当該吸引された検査対象空気がガスセンサ２２に導入されることになる。
【００３２】
本体ボックス２には、図６に示すように、コンピュータからなる制御部２１に加えて、ガスセンサ２２、吸引ポンプ２３等が内蔵されている。また、本体ボックス２には、図１に示すように、操作ハンドル６を把持して操作する作業者が聴認可能な状態で音声を出力可能なスピーカ２５等が配置されている。更に、本体ボックス２の上端部側には、同作業者により視認可能な状態で、液晶ディスプレイ等の表示部２４、及び、電源のＯＮ・ＯＦＦやレンジ切替や音量調整等を行うための各種スイッチ類２６が配置されている。
そして、制御部２１は、ガスセンサ２２、及びスイッチ類２６等の出力信号に基づき各種演算処理を行い、その演算結果に基づき、表示部２４やスピーカ２５を制御して、所望の情報表示や音声出力を行うように構成されている。
【００３３】
ガスセンサ２２は、特定成分として可燃性ガス（水素、メタン、プロパン等）に感応する公知のセンサ素子を利用したものとして構成されており、導入された検査対象空気中の特定成分の濃度に応じた信号を制御部２１に出力する。すると、制御部２１は、ガスセンサ２２の出力信号から検査対象空気中の特定成分濃度を求めて表示部２４に表示すると共に、その可燃性ガス濃度が許容範囲を超えた場合には、それを作業者に通知するべく、表示部２４に所定の警報表示を表示し、更には、スピーカ２５が警報音発生部Ｂとして所定の警報音を発生するように構成されている。
【００３４】
更に、このガス検査機１は、作業者による操作ハンドル６の操作により、収納時における第１姿勢、及び検査時における第２姿勢との間で、姿勢変更可能に構成されている。以下、第１姿勢、及び第２姿勢の夫々について説明を加える。
【００３５】
（第１姿勢）
ガス検査機１の第１姿勢は、収納時の姿勢であって、図３に示すように、検査機本体Ｃが空気捕集部５３の周囲部５１が地表面ｇに接する所定の検査姿勢にある状態で、操作ハンドル６を地表面ｇ側の収納位置に位置させた姿勢とされている。
この第１姿勢では、本体ボックス２が走行フレーム４に近接することになり、更には把持部６ａを本体ボックス２に対して近接させるように操作ハンドル６を収縮させることで、コンパクトな収納が可能となる。
また、この第１姿勢では、前方側の走行用車輪４２の直上に後方側の走行用車輪４３が位置するまで回転させた搬送状態（図示省略）で、把持部６ａを把持して持ち上げた状態で搬送することができる。更に、本体ボックス２の前方側には、前後方向において前方の走行用車輪４２の先端部と同じ位置に張り出す支持部３５が設けられている。このことにより、上記搬送状態で、前方側の走行用車輪４２と支持部３５とを地表面ｇに接地させて自立させることができ、省スペースの収納が可能となる。
【００３６】
（第２姿勢）
ガス検査機１の第２姿勢は、検査時の姿勢であって、図１，２に示すように、検査機本体Ｃが空気捕集部５３の周囲部５１が地表面ｇに接する所定の検査姿勢にある状態で、操作ハンドル６を収納位置の上方側の移動操作位置に位置させた姿勢とされている。
この第２姿勢では、操作ハンドル６は、地表面ｇに対して所望の角度を有することになり、更には把持部６ａを本体ボックス２に対して離間させるように操作ハンドル６を伸長させることで、検査を行う作業者が無理のない立位体勢で操作ハンドル６の先端側の把持部６ａを把持して当該ガス検査機１を押して移動させることができる。このような移動操作では、空気捕集部５３の周囲部５１が地表面ｇに接する所定の検査姿勢となり、その検査姿勢の空気捕集部５３により地表面ｇ側の検査対象空気が捕集されて、その検査対象空気がガスセンサ２２に供給され、当該検査対象空気に可燃性ガスが含まれているか否かなどの検査を行うことができる。この検査において検査対象空気中の可燃性ガス濃度が許容範囲を超えた場合には、スピーカ２５から警報音が発生される。
【００３７】
以上がガス検査機１の基本構成であるが、このガス検査機１は、後述するガス検査機点検方法を実行するための構成を有しており、その構成について以下に説明を加える。
図３，５，６に示すように、本体ボックス２の前面側には、点検口３０が設けられている。この点検口３０は、後述する点検用ガス注入ノズル７５が接続された状態では開放され、点検用ガス注入ノズル７５の接続が解除された状態で閉塞される自動開閉弁で構成されている。
この点検口３０は、吸引路２７の吸引ポンプ２３の上流側から分岐する分岐路３１に接続されており、これによりこの点検口３０は、分岐路３１、吸引路２７、及び吸引ポンプ２３を介して、ガスセンサ２２に通じるものとなる。
【００３８】
本体ボックス２の側面側には、外部との間で赤外線通信により通信可能な通信部３６が設けられており、制御部２１は、この通信部３６を介して、後述するガス検査機点検システム１００との間で、ガスセンサ２２で検出された特定成分濃度等の検査結果や各種補機の状態などのようなガス検査機１の作動状態に関する情報や、後述するガス検査機点検方法を実行するための情報等を授受可能となる。
【００３９】
〔ガス検査機点検システム〕
次に、ガス検査機１の作動状態を点検するためのガス検査機点検システム１００について説明する。
図４，５，６に示すように、ガス検査機点検システム１００は、ガス検査機１を収容可能なガス検査機収容器具７（ガス検査機収容部の一例）と、当該ガス検査機収容器具７に点検用ガスを供給すると共に当該ガス検査機収容器具７の制御部７９との間で有線通信可能なコンピュータを備えたシステム本体９とを備える。以下、これらガス検査機収容器具７とシステム本体９との構成について順に説明を加える。
【００４０】
ガス検査機収容器具７は、上述した収納時の第１姿勢とされたガス検査機１が収容されるように構成されており、水平方向に扁平状の収容台部７２と、その収容台部７２の前方側（図５の右側）から上方に立設される本体部７１とで構成されている。
【００４１】
ガス検査機収容器具７の収容台部７２には、図４，５に示すように、当該ガス検査機１が搭載される収容面部７２ａと、当該収容面部７２ａにガス検査機１を走行させて進入させるためのスロープ部７２ｂと、当該収容面部７２ａに進入したガス検査機１の走行用車輪４２の左右位置を所定位置に案内するための側方ガイド部７２ｃと、当該収容面部７２ａに進入したガス検査機１の過剰な進入を規制するための車輪止め部７２ｄとが設けられている。このことで、作業者は、収納時の第１姿勢とされたガス検査機１を、走行用車輪４２，４３を接地させた状態で押して、スロープ部７２ｂから収容面部７２ａに向けて走行移動させることにより、そのガス検査機１は、側方ガイド部７２ｃ及び車輪止め部７２ｄによる位置の案内及び規制により、収容面部７２ａの所定位置に収容されることになる。
【００４２】
この収容面部７２ａには、収容されたガス検査機１の空気捕集部５３に点検用ガスを供給可能な点検用ガス放出口７３（第１点検用ガス供給部の一例）が設けられている。この点検用ガス放出口７３は、収容面部７２ａの所定位置に収容されたガス検査機１の空気捕集部５３に臨む姿勢で開口されており、これにより、ガス検査機１の空気捕集部５３に点検用ガスを放出する形態で、当該空気捕集部５３に点検用ガスを供給するように構成されている。
【００４３】
収容されたガス検査機１の前方側に位置する本体部７１には、当該ガス検査機１の点検口３０に点検用ガスを供給可能な点検用ガス注入ノズル７５（第２点検用ガス供給部の一例）が設けられている。この点検用ガス注入ノズル７５は、収容面部７２ａの所定位置に収容されたガス検査機１の点検口３０に差し込まれるように設けられており、これにより、ガス検査機１の点検口３０に対し、周囲空気を巻き込むことなく点検用ガスを注入する形態で、当該点検口３０に点検用ガスを供給するように構成されている。
【００４４】
システム本体９からガス検査機収容器具７へは、点検用ガス路７８を通じて点検用ガスが供給され、この点検用ガス路７８は、点検用ガス放出口７３に接続された放出用点検用ガス路７４、及び点検用ガス注入ノズル７５に接続された注入用点検用ガス路７６の夫々に対して、本体部７１に設けられた三方切替弁７７（切替手段の一例）を介して接続されている。この三方切替弁７７により、共通の点検用ガス供給源であるシステム本体９側からの点検用ガスの供給先を、点検用ガス放出口７３と点検用ガス注入ノズル７５との間で択一的に切替可能となる。
【００４５】
ガス検査機収容器具７の本体部７１には、上記三方切替弁７７の作動を制御するためのコンピュータからなる制御部７９が設けられている。
更に、収容されたガス検査機１の通信部３６に対向する位置には、当該ガス検査機１の通信部３６に対して赤外線通信により通信可能な通信部８０が設けられている。
この通信部８０は、ガス検査機収容器具７へのガス検査機１の収容に伴って当該ガス検査機１の通信部３６との間で通信可能となる通信手段として機能することになる。よって、この通信部８０によりガス検査機１との間で通信が可能となった状態は、ガス検査機１がガス検査機収容器具７に収容された状態を示すことになる。
尚、この通信部８０が、収容されたガス検査機１の通信部３６との間で通信を行うことにより、ガス検査機点検システム１００は、ガス検査機１に対し、ガスセンサ２２で検出された特定成分濃度等の検査結果や各種補機の状態などのようなガス検査機１の作動状態に関する情報を取得することができ、更に、後述するガス検査機点検方法を実行するための情報等を送信可能となる。
【００４６】
一方、システム本体９には、ガス検査機収容器具７に対して点検用ガス路７８を通じて点検用ガスを供給するために、点検用ガス路７８に接続され点検用ガスが充填されたガスボンベ９３、及び点検用ガス路７８に配置されたポンプ９４及び開閉弁９５が設けられている。よって、開閉弁９５を開放しポンプ９４を作動させることで、ガスボンベ９３から点検用ガス路７８を通じてガス検査機収容器具７に点検用ガスが供給され、一方、開閉弁９５を閉鎖しポンプ９４を停止させることで、この点検用ガスの供給が停止される。
【００４７】
更に、システム本体９には、後述するガス検査機点検方法が具備する第１点検処理及び第２点検処理、更には点検可能状態判定処理等を実行するためのコンピュータが機能する点検処理手段９１が設けられている。また、システム本体９には、点検処理手段９１がガス検査機点検方法を実行することにより得られた点検結果を出力するためのディスプレイ等の出力部９２が設けられている。
【００４８】
〔ガス検査機点検方法〕
次に、ガス検査機１に対して実行されるガス検査機点検方法の構成について、説明する。
このガス検査機点検方法では、作業者の五感により実行される作業者点検と、これまで説明してきたガス検査機点検システム１００により自動的に実行されるシステム点検とからなる。
【００４９】
作業者点検では、詳細な説明は割愛するが、空気捕集部５３を構成するシール部材５、吸引路２７を構成するチューブ、走行用車輪４２，４３、表示部２４、スピーカ２５などに損傷等の問題が生じているか否かなど、作業者が五感で確認可能なガス検査機１の状態が点検される。
【００５０】
そして、作業者は、このような作業者点検を実行した上で、ガス検査機１をガス検査機収容器具７に収容する。すると、ガス検査機点検システム１００の点検処理手段９１は、通信部８０によりガス検査機１との間の赤外線通信が可能となった状態を点検可能状態と判定する点検可能状態判定処理を自動的に実行し、当該点検可能状態判定処理で点検可能状態を判定した場合には、後述する初期設定処理を実行した上で、第１点検処理及び第２点検処理を実行する。
以下、これら初期設定処理、第１点検処理、及び第２点検処理の詳細について順に説明を加える。
【００５１】
（初期設定処理）
初期設定処理では、ガス検査機１のセンサ感度のゼロ設定を行うと共に、ガス検査機１の電池残量等の状態の点検などを行う。
このゼロ設定では、ガス検査機収容器具７への点検用ガスの供給を停止した状態で、ガス検査機１から取得した検査結果である特定成分濃度がゼロを示すか否かを点検し、ゼロを示さない場合には、ガスセンサ２２に対し補正信号を送信し、ガスセンサ２２の出力に対して設定されるゼロ点を補正する。そして、このような初期設定処理を実行した後に、後述する第１点検処理及び第２点検処理を順に実行する。
【００５２】
（第１点検処理）
点検処理手段９１は、上記初期設定処理を実行した後に、図６（ａ）に示すように、自動的に、ガス検査機収容器具７への点検用ガスの供給を開始すると共に、三方切替弁７７により点検用ガスの供給先を点検用ガス放出口７３に切り替えて、第１点検処理を実行する。そして、この第１点検処理では、実際の検査時におけるガス検査機１の基本性能、即ち、空気捕集部５３により検査対象空気が正常に捕集されてガスセンサ２２に供給されるか否かに関する捕集性能、ガスセンサ２２が特定成分に感応するか否かに関する検出性能、制御部２１がガスセンサ２２の出力に応じた検出結果を表示部２４の情報表示やスピーカ２５警報音出力等により出力するか否かなどの性能が点検される。
具体的に、この第１点検処理において、点検用ガスは、ガス検査機収容器具７に収容されたガス検査機１の空気捕集部５３又はその近傍に放出される形態で、当該空気捕集部５３に供給される。そして、空気捕集部５３又はそれに通じる吸引路２７に詰まりなどが生じておらずガス検査機１の基本性能が正常である場合には、その空気捕集部５３に供給された点検用ガスは、通常の検査時における検査対象空気と同様に、吸引ポンプ２３の吸引力により吸引路２７を通じてガスセンサ２２に供給されることになる。
【００５３】
そして、点検処理手段９１は、このような第１点検処理の実行時に、通信部８０によりガス検査機１との間で通信を行って、その際のガス検査機の作動状態を取得し、その取得した作動状態が、ガスセンサ２２に点検用ガスが供給されたことを示すような作動状態である場合には、ガス検査機１の基本性能が正常であると判定する。逆に、そのような作動状態を取得することができなかった場合には、ガス検査機１の基本性能が異常であると判定する。そして、このようなガス検査機１の基本性能に関する判定結果を第１点検処理の点検結果として出力部９２に出力する。
一方、作業者は、出力部９２に出力された第１点検処理の点検結果を確認することにより、ガス検査機１の基本性能が正常な状態であるか否かを正確に把握することができ、その結果に応じてガス検査機１に対し適切なメンテナンスを実行することができる。
【００５４】
更に、詳細については後述するが、第２点検処理ではガスセンサ２２の検出精度が点検される。よって、後の第２点検処理においてガスセンサ２２の検出精度が正常であるとの点検結果が出力されたのにも拘らず、上記第１点検処理においてガス検査機１の基本性能に異常があるとの点検結果が出力された場合には、空気捕集部５３による検査対象空気の捕集性能等に異常が生じていると判断することもできる。
【００５５】
（第２点検処理）
点検処理手段９１は、上記第１点検処理の実行して点検結果を出力部９２に出力した後に、図６（ｂ）に示すように、自動的に、ガス検査機収容器具７への点検用ガスの供給を継続した状態で、三方切替弁７７により点検用ガスの供給先を点検用ガス放出口７３から点検用ガス注入ノズル７５に切り替えて、第２点検処理を実行する。そして、この第２点検処理では、ガス検査機１におけるガスセンサ２２の検出精度が点検される。
具体的に、この第２点検処理において、点検用ガスは、ガス検査機収容器具７に収容されたガス検査機１の点検口３０に注入される形態で、当該点検口３０に供給される。そして、点検口に供給された点検用ガスは、周辺空気の混入が抑制された状態で、吸引ポンプ２３の吸引力により分岐路３１及び吸引路２７を通じてガスセンサ２２に供給されることになる。
【００５６】
更に、この第２点検処理では、ポンプ９４の出力を調整することで、点検口３０への点検用ガスの供給量が、ガス検査機１の吸引ポンプ２３の吸引量よりも大きく設定されている。
すると、ガス検査機１において、分岐路３１から吸引路２７に流入した点検用ガスの一部が、吸引ポンプ２３により吸引されてガスセンサ２２に供給されるものの、残部が吸引路２７を空気捕集部５３側に向けて逆流することになる。このように吸引路２７に逆流する点検用ガスが存在すると、空気捕集部５３からガスセンサ２２への空気流が実質的に遮断されることになり、結果、ガスセンサ２２へは、空気の混入のない純粋な点検用ガスが供給されることになる。
【００５７】
ここで、点検用ガスが空気の混入が抑制された状態でガスセンサ２２に供給されることから、ガスセンサ２２の検出精度が正常な場合には、このガスセンサ２２での特定成分濃度の検出値は、点検用ガス中の既知の特定成分濃度に対する誤差は許容誤差に収まるものとなる。
そして、点検処理手段９１は、このような第２点検処理の実行時に、通信部８０によりガス検査機１との間で通信を行って、その際のガス検査機１の作動状態としてガスセンサ２２での特定成分濃度の検出値を取得し、その取得した特定成分濃度の検出値と点検用ガス中の既知の特定成分濃度とを比較して、その誤差をガスセンサ２２の検出精度として求め、その求めたガスセンサ２２の検出精度を点検結果として出力部９２に出力する。
更に、この第２点検処理では、点検結果として出力されるガスセンサ２２の検出精度が正常なものとなるように、ガス検査機１の制御部２１に対しガスセンサ２２の感度等の変更を指示する形態で、ガスセンサ２２の自動校正を行うこともできる。
【００５８】
〔別実施形態〕
（１）上記実施形態では、ガス検査機１の空気捕集部５３に点検用ガスを供給する点検用ガス放出口７３を、ガス検査機１の空気捕集部５３に臨む姿勢で開口して、当該空気捕集部５３に点検用ガスを放出するように構成したが、別に、放出した点検用ガスが空気捕集部５３に捕集される範囲において、空気捕集部５３に直接放出するのではなく、例えば、その空気捕集部５３近傍に点検用ガスを放出するように構成しても構わない。
【００５９】
（２）上記実施形態では、ガス検査機１の点検口３０に点検用ガスを供給する点検用ガス注入ノズル７５を、ガス検査機１の点検口３０に差し込まれて、当該点検口３０に点検用ガスを注入するように構成したが、別に、点検口３０に供給した点検用ガスへの周辺空気の混入が抑制される範囲において、点検口３０に差し込まれるのではなく、例えば、その点検口３０に密着して点検用ガスを注入するように構成しても構わない。
【００６０】
（３）上記実施形態では、ガス検査機１において、点検口３０に供給された点検用ガスを空気の混入を抑制した状態でガスセンサ２２に供給するために、点検口３０に接続された分岐路３１を吸引路２７の吸引ポンプ２３の上流側から分岐する流路とすると共に、その点検口３０への点検用ガスの供給量を吸引ポンプ２３の吸引量よりも大きく設定するように構成したが、別に、この分岐路３１をガスセンサ２２に直接接続された流路とするなど、適宜改変しても構わない。
【００６１】
（４）上記実施形態では、ガス検査機１を、空気捕集部５３を地表面ｇに沿わせた検査姿勢で当該地表面ｇに沿って移動操作される移動式ガス検査機として構成したが、このような移動操作するための走行用車輪４２，４３を設けることなく、作業者が携帯して利用する携帯式ガス検査機としても構わない。
【００６２】
（５）上記実施形態では、ガス検査機点検システム１００に、三方切替弁７７を設け、共通の点検用ガス供給源であるシステム本体９側からの点検用ガスの供給先を、点検用ガス放出口７３と点検用ガス注入ノズル７５との間で択一的に切替可能としたが、このような三方切替弁７７を設けることなく、夫々別の点検用ガス供給源から点検用ガス放出口７３と点検用ガス注入ノズル７５とへ点検用ガスを供給するように構成しても構わない。
【００６３】
（６）上記実施形態では、ガス検査機点検システム１００のガス検査機収容器具７に、ガス検査機１の収容に伴って当該ガス検査機１との間で通信可能となる通信部８０を設けたが、例えば、ガス検査機１の収容は別の近接スイッチなどにより検出するなどして、このような通信部を省略又は簡素化しても構わない。
また、上記実施形態では、この通信部８０を利用して、第１点検処理及び第２点検処理におけるガス検査機１の作動状態を取得するように構成したが、作業者がガス検査機１の表示部２４を目視により確認して、ガス検査機１の作動状態を取得するように構成しても構わない。
【００６４】
（７）上記実施形態では、第１点検処理（図６（ａ）参照）を実行した後に、第２点検処理（図６（ｂ）参照）を実行するように構成したが、第２点検処理を実行した後に、第１点検処理を実行しても構わない。
【００６５】
（８）上記実施形態では、ガス検査機１を収容可能なガス検査機収容器具７と、点検処理を実行するための点検処理手段９１やガスボンベ９３等を備えたシステム本体９とを、別体で構成したが、このガス検査機収容器具７とシステム本体９とを一体で構成しても構わない。
【００６６】
（９）上記実施形態では、ガス検査機収容器具７において、点検用ガス注入用の点検用ガス注入ノズル７５や赤外線通信用の通信部８０の姿勢や位置を固定としたが、例えばガス検査機１の高さが走行用車輪４２の摩耗等による変化するために、ガス検査機１に対する点検用ガス注入ノズル７５の接続不良や通信部８０の位置ずれ等が問題となる場合がある。
そこで、このような問題を解消するべく、ガス検査機収容器具７において、点検用ガス注入ノズル７５や通信部８０の姿勢や位置を、収容されるガス検査機１の高さに応じて調整自在に構成することが好ましい。
具体的に、点検用ガス注入ノズル７５や通信部８０の姿勢や位置を調整自在とする構成としては、例えば図示は省略するが、ガス検査機収容器具７において点検用ガス注入ノズル７５や通信部８０が設けられた部分に高さ調整機構を設けてガス検査機１に合った高さに調整する構成や、ガス検査機収容器具７から点検用ガス注入ノズル７５や通信部８０が設けられた部分を取り外して収納されたガス検査機１に直接取り付ける構成等を採用することができる。
【符号の説明】
【００６７】
１      ガス検査機
７      ガス検査機収容器具（ガス検査機収容部）
２０    点検口
２１    制御部
２２    ガスセンサ（センサ部）
２３    吸引ポンプ
２７    吸引路
３０    点検口
３１    分岐路
３６    通信部（通信手段）
３９    点検口
５３    空気捕集部
７３    点検用ガス放出口（第１点検用ガス供給部）
７５    点検用ガス注入ノズル（第２点検用ガス供給部）
７７    三方切替弁（切替手段）
８０    通信部（通信手段）
９１    点検処理手段
１００  ガス検査機点検システム
ｇ      地表面
【図１】
0006778502.tif 000002
【図２】
0006778502.tif 000003
【図３】
0006778502.tif 000004
【図４】
0006778502.tif 000005
【図５】
0006778502.tif 000006
【図６】
0006778502.tif 000007